(57)【要約】【課題】遊技者にとって斬新な視覚効果のある電飾装置を備えた遊技機を提供すること。【解決手段】遊技機１は、遊技状態に応じて発光するＬＥＤ基板２６０と、ＬＥＤ基板２６０の前面側に配置されている回動可能な拡散レンズ２１０と、拡散レンズ２１０を回動させるための駆動モータ２７０等からなる駆動手段と、前記ＬＥＤ基板２６０と前記拡散レンズ２１０の間に配置され、前記ＬＥＤ基板２６０から照射された光を前記拡散レンズ２１０に向けて透過するギアレンズ２２０と、該ギアレンズ２００の側面に設けられている側面部材２５０とからなる駆動発光装置を備えている。【選択図】図５
2010253028.tif 000002
【特許請求の範囲】
【請求項１】
遊技状態に応じて駆動し発光する駆動発光装置を備えた遊技機において、
前記駆動発光装置は、遊技状態に応じて発光する光源と、
前記光源の前面側に配置されていて回動可能な第１の透過部材と、
前記第１の透過部材を回動させるための駆動手段と、
前記光源と前記第１の透過部材の間に配置され、前記光源から照射された光を前記第１の透過部材に向けて透過する第２の透過部材と、
前記第２の透過部材の側面に設けられている側面部材とを備え、
前記第２の透過部材の、外周あるいは前記側面部材の内周の一方に複数の凸部を形成すると共に他方に前記凸部と嵌合可能な複数の凹部を形成し、
前記第１の透過部材は、裏面側に、前記駆動手段に連結されて前記第１の透過部材を回動させる回転軸と、前記第２の透過部材を回動自在に軸支するための軸支部が設けられ、前記回転軸と前記軸支部は異なる位置に設けられており、
前記第２の透過部材は、前記軸支部に軸支され、前記第１の透過部材の回動に伴い前記軸支部が変位するのに追随して変位すると共に、前記凸部と前記凹部が嵌合することによって、前記軸支部を回転軸として前記第１の透過部材の回動方向と異方向に回動することを特徴とする遊技機。
【請求項２】
前記第１の透過部材及び第２の透過部材は略円形に形成されると共に、前記第２の透過部材の直径は前記第１の透過部材の半径よりも小さく形成され、
前記軸支部は前記第１の透過部材の半径中心よりも外周側に設けられていることを特徴とする請求項１記載の遊技機。
【請求項３】
前記軸支部が、前記回転軸を中心とした所定の円周上に設けられ、
各軸支部に前記第２の透過部材が回動自在に軸支されていることを特徴とする請求項１又は２に記載の遊技機。
【請求項４】
前記軸支部は、前記第２の透過部材の外周の一部が前記第１の透過部材の外周の一部と略同一になるような位置に設けられていることを特徴とする請求項２又は３記載の遊技機。
【請求項５】
前記側面部材は、前記第１の透過部材の回動に伴い前記軸支部が変位するのに追随して前記第２の透過部材が変位する場合の前記第２の透過部材の変位軌跡の外周側面を覆う大きさに形成されていることを特徴とする請求項１〜４のいずれか１項に記載の遊技機。
【請求項６】
前記第２の透過部材の回動中は、少なくとも１組の前記凸部と前記凹部が常に嵌合するように前記凸部と前記凹部を形成したことを特徴とする請求項１〜５のいずれか１項に記載の遊技機。
【請求項７】
前記光源は、複数の発光体を基板に設置して構成されることを特徴とする請求項１〜６のいずれか１項に記載の遊技機。
【請求項８】
前記第１の透過部材に、前記光源から照射された光を集束して透過させる集束部が設けられ、
前記光源が、前記集束部の回動軌跡上に設置されていることを特徴とする請求項１〜７のいずれか１項に記載の遊技機。
【請求項９】
前記光源と前記第２の透過部材の間に透明板が設けられていることを特徴とする請求項１〜８のいずれか１項に記載の遊技機。
【発明の詳細な説明】
【技術分野】
【０００１】
本発明はパチンコ遊技機等の遊技機に関する。
【背景技術】
【０００２】
従来、パチンコ遊技機等の遊技機は、遊技を演出する目的で液晶表示装置等の可変表示装置やスピーカーあるいは可動演出装置とともに発光ダイオード等を光源とする電飾装置を遊技盤に備えている。このような遊技機として、大当たり状態やリーチ状態などの特定の遊技状態になった場合に、電飾装置による光の演出によって遊技者の気分を盛り上げ、遊技者を楽しませるものが公知である（例えば、特許文献１参照）。
【０００３】
上記特許文献１に記載の遊技機の電飾装置は、発光体と、遊技状態に応じて駆動源により回転する傾斜反射板を備えている。傾斜反射板には、傾斜反射板から反射された光の進行方向前面及び側面を囲む拡散レンズが一体化して設けられている。よって電飾装置において、発光体から照射された光は傾斜反射板で反射され、反射された光は拡散レンズを透過して拡散されて遊技者に届くように構成されている。
【先行技術文献】
【特許文献】
【０００４】
【特許文献１】特開２００２−３４６０６４号公報
【発明の概要】
【発明が解決しようとする課題】
【０００５】
しかしながら、従来の遊技機は、電飾装置による演出が、発光体の点灯、点滅、消灯や、発光体から照射された光を反射板に当てることによる光の反射、あるいは、発光体から照射された光や反射板で反射された光を単純な構成の拡散レンズに透過させることによる光の拡散によるものがほとんどであり、演出に斬新さがなく遊技者に与える視覚効果に乏しいという問題があった。
【０００６】
本発明は、上記問題点に鑑みなされたもので、駆動手段による駆動と光の演出を組み合わせて、遊技者にとって斬新な視覚効果のある光の演出を行うことが可能な駆動発光装置を備えた遊技機を提供することを目的とするものである。
【課題を解決するための手段】
【０００７】
上記課題を解決するために、本発明遊技機は、請求項１に記載のように、
遊技状態に応じて駆動し発光する駆動発光装置を備えた遊技機において、
前記駆動発光装置は、遊技状態に応じて発光する光源と、
前記光源の前面側に配置されていて回動可能な第１の透過部材と、
前記第１の透過部材を回動させるための駆動手段と、
前記光源と前記第１の透過部材の間に配置され、前記光源から照射された光を前記第１の透過部材に向けて透過する第２の透過部材と、
前記第２の透過部材の側面に設けられている側面部材とを備え、
前記第２の透過部材の、外周あるいは前記側面部材の内周の一方に複数の凸部を形成すると共に他方に前記凸部と嵌合可能な複数の凹部を形成し、
前記第１の透過部材は、裏面側に、前記駆動手段に連結されて前記第１の透過部材を回動させる回転軸と、前記第２の透過部材を回動自在に軸支するための軸支部が設けられ、前記回転軸と前記軸支部は異なる位置に設けられており、
前記第２の透過部材は、前記軸支部に軸支され、前記第１の透過部材の回動に伴い前記軸支部が変位するのに追随して変位すると共に、前記凸部と前記凹部が嵌合することによって、前記軸支部を回転軸として前記第１の透過部材の回動方向と異方向に回動することを要旨とするものである。
【０００８】
また本発明遊技機は、請求項２に記載のように、請求項１に係り、
前記第１の透過部材及び第２の透過部材は略円形に形成されると共に、前記第２の透過部材の直径は前記第１の透過部材の半径よりも小さく形成され、
前記軸支部は前記第１の透過部材の半径中心よりも外周側に設けられていることを要旨とするものである。
【０００９】
また本発明遊技機は、請求項３に記載のように、請求項１又は２に係り、
前記軸支部が、前記回転軸を中心とした所定の円周上に設けられ、
各軸支部に前記第２の透過部材が回動自在に軸支されていることを要旨とするものである。
【００１０】
また本発明遊技機は、請求項４に記載のように、請求項２又は３に係り、
前記軸支部は、前記第２の透過部材の外周の一部が前記第１の透過部材の外周の一部と略同一になるような位置に設けられていることを要旨とするものである。
【００１１】
また本発明遊技機は、請求項５に記載のように、請求項１〜４のいずれか１項に係り、
前記側面部材は、前記第１の透過部材の回動に伴い前記軸支部が変位するのに追随して前記第２の透過部材が変位する場合の前記第２の透過部材の変位軌跡の外周側面を覆う大きさに形成されていることを要旨とするものである。
【００１２】
また本発明遊技機は、請求項６に記載のように、請求項１〜５のいずれか１項に係り、
前記第２の透過部材の回動中は、少なくとも１組の前記凸部と前記凹部が常に嵌合するように前記凸部と前記凹部を形成したことを要旨とするものである。
【００１３】
また本発明遊技機は、請求項７に記載のように、請求項１〜６のいずれか１項に係り、
前記光源は、複数の発光体を基板に設置して構成されることを要旨とするものである。
【００１４】
また本発明遊技機は、請求項８に記載のように、請求項１〜７のいずれか１項に係り、
前記第１の透過部材に、前記光源から照射された光を集束して透過させる集束部が設けられ、
前記光源が、前記集束部の回動軌跡上に設置されていることを要旨とするものである。
【００１５】
また本発明遊技機は、請求項９に記載のように、請求項１〜８のいずれか１項に係り、
前記光源と前記第２の透過部材の間に透明板が設けられていることを要旨とするものである。    
【発明の効果】
【００１６】
請求項１の本発明遊技機は、遊技状態に応じて駆動し発光する駆動発光装置を備えた遊技機において、前記駆動発光装置は、遊技状態に応じて発光する光源と、前記光源の前面側に配置されていて回動可能な第１の透過部材と、前記第１の透過部材を回動させるための駆動手段と、前記光源と前記第１の透過部材の間に配置され、前記光源から照射された光を前記第１の透過部材に向けて透過する第２の透過部材と、前記第２の透過部材の側面に設けられている側面部材とを備え、前記第２の透過部材の、外周あるいは前記側面部材の内周の一方に複数の凸部を形成すると共に他方に前記凸部と嵌合可能な複数の凹部を形成し、前記第１の透過部材は、裏面側に、前記駆動手段に連結されて前記第１の透過部材を回動させる回転軸と、前記第２の透過部材を回動自在に軸支するための軸支部が設けられ、前記回転軸と前記軸支部は異なる位置に設けられており、前記第２の透過部材は、前記軸支部に軸支され、前記第１の透過部材の回動に伴い前記軸支部が変位するのに追随して変位すると共に、前記凸部と前記凹部が嵌合することによって、前記軸支部を回転軸として前記第１の透過部材の回動方向と異方向に回動するものであり、前記光源による光の照射と第１の透過部材の回動と第２の透過部材の回動及び変位を組み合わせて複雑な光の強弱を演出し、遊技者にとって斬新な視覚効果のある演出を行うことが可能になる。
【００１７】
請求項２の本発明遊技機は、前記第１の透過部材及び前記第２の透過部材が略円形に形成され、前記第２の透過部材の直径が前記第１の透過部材の半径よりも小さく形成されると共に、前記軸支部が前記第１の透過部材の半径中心より外周側に設けられていることにより、前記第２の透過部材が、前記第１の透過部材の回動に伴う前記軸支部の変位に追随して変位する際に、前記第２の透過部材と前記第１の透過部材が互いに干渉することを抑制できる。  
【００１８】
請求項３の本発明遊技機は、前記軸支部が前記回転軸を中心とした所定の円周上に設けられ、各軸支部に前記第２の透過部材が軸支されていることにより、前記第１の透過部材の回動と前記第２の透過部材の回動及び変位の組合わせが数多くなることで、より美観の優れた万華鏡のような視覚効果のある演出を行うことができる。
【００１９】
請求項４の本発明遊技機は、前記軸支部は、前記第２の透過部材の外周の一部が前記第１の透過部材の外周の一部と略同一になるような位置に設けられていることによって、前記第２の透過部材は、常にその外周の一部と前記第１の透過部材の外周の一部が略同一となる状態で、前記第１の透過部材の回動に伴う前記軸支部の変位に追随して回動しながら変位する。それ故に、前記第１の透過部材の回動と前記第２の透過部材の回動及び変位が一体感を持って演出される。
【００２０】
請求項５の本発明遊技機は、前記側面部材が、前記第１の透過部材の回動に伴い前記軸支部が変位するのに追随して前記第２の透過部材が変位する場合の前記第２の透過部材の変位軌跡の外周側面を覆う大きさに形成されていることによって、前記第２の透過部材が前記軸支部の変位に追随して変位している場合であっても前記凸部と前記凹部が嵌合する。それ故に、前記第２の透過部材は、前記軸支部が変位するのに追随して変位している場合であっても前記軸支部を中心として回動することができる。
【００２１】
請求項６の本発明遊技機は、前記第２の透過部材の回動中は、少なくとも１組の前記凸部と前記凹部が常に嵌合するように前記凸部と前記凹部が形成されていることにより、前記第２の透過部材は、前記第１の透過部材の回動に伴い前記軸支部が変位するのに追随して変位する間、常に回動することになる。
【００２２】
請求項７の本発明遊技機は、前記光源が複数の発光体を基板に設置して構成されていることにより、発光体の設置位置を変えて最適な発光状態に容易にすることができる。また、発光体毎に発光色や発光のタイミング等を変えれば演出の幅を広げることができる。
【００２３】
請求項８の本発明遊技機は、前記光源から照射された光を集束して透過させる集束部が前記第１の透過部材に設置され、前記光源が前記第１の透過部材が回動する際の前記集束部の回動軌跡上に設置されていることにより、前記第１の透過部材に設置された前記集束部が前記光源上を通過する際には前記第１の透過部材を透過する光が強くなり、前記集束部以外の前記第１の透過部材の部分が前記光源上を通過する際には前記第１の透過部材を通過する光が前記集束部よりも弱くなるため、前記第１の透過部材を透過する光に強弱を持たせる演出を行うことができる。
【００２４】
請求項９の本発明遊技機は、前記透明板が前記光源と前記第２の透過部材の間に配置されていることによって、前記光源から照射された光を遮断することなく、前記第２の透過部材が前記軸支部から外れにくくして、前記第２の透過部材をスムーズに回動させることができる。
【図面の簡単な説明】
【００２５】
【図１】本発明遊技機の一例のパチンコ遊技機を示す正面図である。
【図２】図２は図１のパチンコ遊技機の遊技盤の正面図である。
【図３】図３は図１のパチンコ遊技機のセンター役物のフレームと万華鏡駆動役物と文字駆動役物を示す正面図である。
【図４】図４は万華鏡駆動役物と文字駆動役物を示す外観斜視図である。
【図５】図５は図４の万華鏡駆動役物の一部を分解した分解斜視図である。
【図６】図６は図５を後方から見た分解斜視図である。
【図７】図７は万華鏡駆動役物の分解斜視図である。
【図８】図８は図７を後方から見た分解斜視図である。
【図９】図９は拡散レンズとギアレンズの位置関係を示す説明図である。
【図１０】図１０は万華鏡駆動役物から拡散レンズを取り除いた状態を示す正面図である。
【図１１】図１１は側面部材の内周全面に内歯が設けられた万華鏡駆動役物と文字駆動役物を示す正面図である。
【図１２】図１２は文字駆動役物の第１可動部材が第２位置に移動した状態を示す斜視図である。
【図１３】図１３は文字駆動役物の第２可動部材が第２位置に移動した状態を示す斜視図である。
【図１４】図１４は図４の万華鏡役物と文字駆動役物を裏面側から見た斜視図である。
【図１５】図１５は万華鏡駆動役物の動作のタイミングを示すフローチャートである。
【図１６】図１６は所定の条件で図１５から分岐した場合の万華鏡駆動役物と文字駆動役物の動作のタイミングを示すフローチャートである。
【発明を実施するための形態】
【００２６】
以下に本発明の実施の形態について図面を用いて詳細に説明する。図１は本発明遊技機の一例を示す正面図である。図１に示すように、本実施例の遊技機はパチンコ遊技機１である。パチンコ遊技機１（以下、遊技機ということもある）は、所要の奥行を有する額縁形状に形成された機枠２の前面側に、左側縁が軸着されて前方に開閉可能に組付けられた前面枠３が取り付けられ、該前面枠３に対して左側縁が軸着されて前面側に開閉可能に形成されたガラス枠４が取り付けられている。前面枠３及びガラス枠４は鍵５により施錠可能である。
【００２７】
なお、本発明において、遊技機１の前面とは遊技機正面側のことであり、遊技機１の裏面或いは後方とは遊技機１の背面側のことである。また遊技機１の左側、右側、上側、下側とは、遊技機を前面から見た場合の左側、右側、上側、下側のことである。また、遊技機を構成する各構成部材においても、表側、裏側、前側、後側等という場合、特に断りがない限り、遊技機に装着された状態での表側、裏側、前側、後側方向等である。
【００２８】
図１に示すように、ガラス枠４には、遊技盤７の位置にガラス板又はプラスチック板等の透明板が嵌め込まれている。ガラス枠４は、透明板を通して前面側から遊技盤７の遊技領域１０を視認可能である。ガラス枠４には、遊技領域１０へ発射するための遊技球を入れる上皿１２が一体に形成されている。上皿１２には、貯留されている遊技球を下皿１５に流下するための上皿操作部１７や、貸し出し可能な貸し球を払い出すための球貸し操作部１８等が設けられている。またガラス枠４の上部左右両側には、スピーカー１３、１３が取り付けられ、遊技盤の上方に装飾ランプ１４が設けられている。
【００２９】
図１に示すように、前面枠３のガラス枠４の下方には、左側縁が軸着されて前面枠３に対して開閉可能に下皿１５が組付けられている。また前面枠３の右下には、遊技球を発射操作するためのタッチスイッチを備える発射ハンドル８が設けられている。下皿１５は、払い出された遊技球で上皿１２に入りきらない遊技球を貯めることが可能である。下皿１５には、遊技球を下方に落下させるための下皿球抜き操作部１６等が設けられている。
【００３０】
図２は図１の遊技盤を示す正面図である。遊技盤７は、前面枠３に脱着可能に取り付けられている。図２に示すように、遊技盤７の周縁には、発射装置から発射された遊技球をガイドするための内側ガイドレール９ａと外側ガイドレール９ｂとからなるガイドレール９が、略円形に設けられている。遊技盤７の内側ガイドレール９ａ及び外側ガイドレール９ｂの一部によって囲まれた部分が遊技領域１０として形成されている。遊技領域１０の略中央から上方には、センター役物３０が配設されている。センター役物３０の略中央には、開口部が設けられ、該開口部に図柄等を変動表示することが可能な図柄表示装置としての液晶パネル２１が配設されている。センター役物３０の液晶パネル２１の周囲には、一部液晶パネル２１の表面を覆うように、ランプ等の装飾部材２８等が設けられ、液晶パネル２１の周囲を装飾している。
【００３１】
更にセンター役物３０には、駆動役物として、センター役物３０の右下に万華鏡駆動役物（装飾装置）２００と文字駆動装置（連動装置）１００が設けられ、上方に刀駆動役物３００が設けられ、右側には竹駆動役物４００が設けられている。これらの駆動役物１００〜４００は、遊技機１の遊技状態に応じて動くことで、遊技を演出するものである。万華鏡駆動役物２００が、本発明の遊技機における遊技状態に応じて駆動し発光する駆動発光装置である（図５参照、詳細は後述する）。文字駆動役物１００は、可動部材が遊技状態に応じて駆動手段により動く駆動役物である。また刀駆動役物３００と竹駆動役物４００は、刀や竹の形状の部材が遊技状態に応じて駆動手段により動く駆動役物である。
【００３２】
また遊技盤７の遊技領域１０のセンター役物３０以外の部分には、電動チューリップからなる始動入賞装置２２、長方形の開口部を開閉可能に覆っている蓋からなるアタッカー形式の特別入賞装置２３、通過ゲート２４、風車２５等が配置され、複数の釘２６が起立している。また遊技領域１０の特別入賞装置２３の左側にはサイドランプ２７が設けられている。
【００３３】
また特に図示しないが、遊技機１の裏面側には、枠用外部端子基板、図柄制御基板、主制御基板、音声制御基板、ランプ制御基板、払出制御基板、発射装置制御基板、電源基板等の各種基板、カードインターフェース接続部、球寄せ、タンク、タンクレール、払出装置、発射装置等が設けられている。
【００３４】
パチンコ遊技機１は、発射ハンドル８の操作により発射装置から遊技領域１０に遊技球を発射すると、遊技球が遊技盤７の遊技領域１０の表面を転動しながら落下し、始動入賞装置２２、特別入賞装置２３等の入賞装置に入ると、所定の賞球遊技球が球払出口から払出されるようになっている。また遊技領域１０に発射された遊技球が、始動入賞装置２２に入ったり、通過ゲート２４を通過することにより、所定の遊技が行われる。
【００３５】
図３はセンター役物３０のフレームに万華鏡駆動役物２００と文字駆動役物１００を取付けた状態を示す正面図である。センター役物３０は、液晶パネルの周囲を囲むように形成されている額縁状の枠体からなるフレーム３１を備えている。図３に示すようにフレーム３１の所定の位置には、万華鏡駆動役物２００と文字駆動役物１００が装着されている。尚、フレーム３１には、刀駆動役物３００、竹駆動役物４００や装飾部材２８等の他の部品も装着されるが、図３ではこれらの記載を省略した。
【００３６】
フレーム３１には、周囲の額縁部分に各種の部品を取付けることが可能に形成されている取付部３３と、中央の部分の液晶パネルが見える開口部３２が設けられている。取付部３３には、万華鏡駆動役物２００及び文字駆動役物１００等を取付けて固定することができる。万華鏡駆動役物２００や文字駆動役物１００はネジ等でフレーム３１の取付部３３に固定されている。図１及び図２に示すように、遊技盤７にセンター役物３０を取付けた状態では、万華鏡駆動役物２００は、発光面が遊技機１の前面の遊技者から見えるように配置されている。文字駆動役物１００は、通常の状態では遊技機１の前面の遊技者から見えない位置にあり、遊技状態が変化して位置が変わると遊技者から見える位置に取付けられている。
【００３７】
図４は、万華鏡駆動役物２００と文字駆動役物１００を示す外観斜視図である。図５は、図４の万華鏡駆動役物２００の一部分を分解した分解斜視図であり、図６は、図５を後方から見た分解斜視図である。また図７は、万華鏡駆動役物２００の分解斜視図であり、図８は、図７を後方から見た分解斜視図である。以下に、万華鏡駆動役物２００について説明する。図４〜図８に示すように、万華鏡駆動役物２００は、遊技状態に応じて発光する光源としてのＬＥＤ基板２６０と、ＬＥＤ基板２６０の前面側に配置されている回動可能な第１の透過部材としての拡散レンズ２１０と、拡散レンズ２１０を回動させるための駆動モータ２７０等からなる駆動手段と、ＬＥＤ基板２６０と拡散レンズ２１０の間に配置され、ＬＥＤ基板２６０から照射された光を拡散レンズ２１０に向けて透過する第2の透過部材としての３つのギアレンズ２２０と、該ギアレンズの側面に設けられている側面部材２５０とを備えている。図５及び図６に示すように、ギアレンズ２２０とＬＥＤ基板２６０との間には、透明板２３０が設けられている。また上記３つのギアレンズ２２０は、同一の形状に形成されている。
【００３８】
万華鏡駆動役物２００の拡散レンズ２１０は、透明プラスチックを用いて円板状に形成されている。拡散レンズ２１０は、図４及び図５に示すように、表面側にクモの巣のような凸凹模様が施されており、背面のＬＥＤ基板２６０から照射された光を凸凹模様部分で屈折させて拡散するように形成されている。また、拡散レンズ２１０には、図４及び図５に示すように、肉厚半球レンズ２１１が所定の半径を有する円周上に等間隔に６個設けられている。肉厚半球レンズ２１１は、半球状の凸部として形成されていて、背面のＬＥＤ基板２６０から照射された光を集束して透過させるレンズ機能を有する。そのため、肉厚半球レンズ２１１を透過した光は、それ以外の部分を透過した光と比較して、指向性が強く鋭いものとなるので、肉厚半球レンズ２１１とそれ以外の拡散レンズ２１０の部分を透過する光とで強弱を持たせた演出を行うことができる。尚、肉厚半球レンズ２１１は、本発明の集束部に相当する。
【００３９】
また、拡散レンズ２１０の裏面側には、図６及び図８に示すように、その中心に、後方に突出する筒状体からなり、駆動手段に連結されて該拡散レンズ２１０自体を回動させるための回転軸２１２が設けられている。更に、拡散レンズ２１０の裏面側には、回転軸２１２と異なる位置に、3つの軸支部２１３が設けられている。回転軸２１２は、図７に示すように、透明板２３０の中心穴２３１、前カバー部材２８０ａの貫通穴２８２及びＬＥＤ基板２６０の開口部２６２を通って、連動部材２９１の軸受け２９２に連結される長さに形成されている。
【００４０】
次に、図６及び図８に示すように、拡散レンズ２１０の裏面側には、後方に突出する棒状体からなり、ギアレンズ２２０を回動自在に軸支するための軸支部２１３が３つ設けられている。軸支部２１３は、拡散レンズ２１０の中心以外の位置に設けられ、回転軸２１２と異なる位置に設けられている。軸支部２１３は、拡散レンズ２１０の外周を３等分する１２０°の間隔の放射線上に設けられており、この軸支部２１３が設けられている半径方向の位置は、拡散レンズ２１０の半径中心より外周側で、かつ、ギアレンズ２２０の外周の一部と拡散レンズの外周の一部が略同一になる所定の円周上である。
【００４１】
図９は、拡散レンズ２１０とギアレンズ２２０の位置関係を示す説明図である。前記所定の円周とは、図９に示すように、回転軸２１２を中心として、拡散レンズ２１０の半径Ｒ１からギアレンズ２２０の半径Ｒ２を引いた大きさＲ３＝Ｒ１−Ｒ２を半径とする円周４０のことであり、半径０．５Ｒ１の円周４１と拡散レンズ２１０の外周４２の間にある。
【００４２】
また、図６に示すように、軸支部２１３の後方に突出する長さは、回転軸２１２の長さより短く形成されている。軸支部２１３の後方に突出する長さは、ギアレンズ２２０の貫通孔２２２に挿通された軸支部２１３の先端が、透明板２３０に設けられた支持穴２３２に挿入されて支持される長さである。
【００４３】
ギアレンズ２２０は、透明プラスチックの円板からなり、中心に貫通孔２２２が設けられ、外周の少なくとも一部に凸部としての歯２２１が設けられた歯車として形成されている。ギアレンズ２２０の直径は、拡散レンズ２１０の半径よりも小さく形成されている。また、ギアレンズ２２０は、図５、図７及び図１０等に示すように、表面側に、複数の円をずらして重ねた線の部分が凸状となる凹凸模様が形成されており、背面のＬＥＤ基板２６０から照射された光を凹凸模様部分で屈折させて、拡散レンズ２１０に向けて透過する拡散レンズとして構成されている。
【００４４】
さらに、ギアレンズ２２０は、図５〜図８に示すように、外周の少なくとも一部に凸部２２１が設けられた外歯車として形成されて、内周に内歯が設けられた側面部材２５０（後述する）の内歯からなる凹部と嵌合するように形成されている。図５〜図８に示すように、ギアレンズ２２０の中央の貫通孔２２２は、拡散レンズ２１０の裏面側に設けられた軸支部２１３が挿通されて自由に回動できるように、軸支部２１３の直径よりも若干大き目の内径に形成されている。尚、３つのギアレンズ２２０は、いずれも３つの軸支部２１３にそれぞれ回動自在に軸支されている。
【００４５】
ギアレンズ２２０の裏面側に設置される透明板２３０は、拡散レンズ２１０とほぼ同じ大きさの透明プラスチックの円板として形成されている。透明板２３０は、図６及び図８に示すように、中央に拡散レンズ２１０の回転軸２１２を挿通する中心穴２３１が設けられている。更に、透明板２３０には、中心穴２３１を中心とする半径Ｒ３の円周上（図９参照）に、３つの軸支部２１３を挿入して支持するための３つの支持穴２３２が等間隔に設けられている。
【００４６】
すなわち、３つの支持穴２３２は拡散レンズ２１０の軸支部２１３の位置に対応する位置に設けられている。支持穴２３２に、ギアレンズ２２０の貫通孔２２２を通過した軸支部２１３の先端が挿入され、ギアレンズ２２０は拡散レンズ２１０と透明板２３０に挟まれた状態で回動可能に保持される。透明板２３０は、ギアレンズ２２０を間に介した状態で、拡散レンズ２１０の回転軸２１２と軸支部２１３が、それぞれ中心穴２３１と支持穴２３２に挿通され、拡散レンズ２１０が回動すると一緒に回動する。この時、ギアレンズ２２０は、挿通されている軸支部２１３から外れにくくなり、ギアレンズ２２０をスムーズに回動させることができる。なお、透明板２３０は透明プラスチックを用いて形成されているので、ＬＥＤ基板２６０から前方に照射される光を遮断せずギアレンズ２２０及び拡散レンズ２１０に向けて透過させることができる。
【００４７】
図４〜図８に示すように、側面部材２５０は、内径が拡散レンズ２１０の外径とほぼ同じ大きさに形成されたリング状であり、内周に欠歯状の内歯２５１が設けられ、ギアレンズ２２０の側面側に設けられている外歯２２１と噛み合う内歯車として形成されている。すなわち、側面部材２５０には、ギアレンズ２２０の複数の凸部２２１としての外歯と嵌合可能な複数の凹部としての内歯２５１を備えている。この内歯２５１は、等間隔に離れた３ヵ所の位置に設けられている。内歯２５１が設けられている位置は、上方向を０時として、０時、４時、８時の位置である。内歯２５１のピッチは、ギアレンズ２２０の外歯２２１のピッチに対応している。
【００４８】
側面部材２５０は、拡散レンズ２１０の回動に伴い、軸支部２１３が変位するのに追随してギアレンズ２２０が変位する場合の、ギアレンズ２２０の変位軌跡の外周側面を覆う大きさに形成されている。ここで、ギアレンズ２２０の変位軌跡とは、図９に示すように、万華鏡駆動役物２００を正面視した際の、拡散レンズ２１０の外周４２の線とほぼ同一の線になる。
【００４９】
ギアレンズ２２０は、拡散レンズ２１０の回動に伴い、軸支部２１３が変位するのに追随して変位すると共に、側面部材２５０の内歯２５１とギアレンズ２２０の外歯２２１は凹凸が嵌合して噛み合い、軸支部２１３を回転軸として、ギアレンズ２２０自体も回動する。このギアレンズ２２０の回動は、側面部材２５０の内歯２５１と噛み合う部分で行われる。
【００５０】
側面部材２５０は、内歯２５１が３ヵ所に設けられていて内周全面に設けられていないが、図１１のように内歯２５１は内周全面に設けられていても良い。側面部材２５０の内歯２５１が内周全面に設けられていると、拡散レンズ２１０が回動している間は、ギアレンズ２２０は常に軸支部２１３を回転軸として回動しながら変位するよう構成することができる。また、ギアレンズ２２０の外歯２２１と側面部材２５０の内歯２５１が嵌合して噛み合って回動したり、噛み合わずに回動しなかったりする状態があるように外歯２２１または内歯２５１を設けてもよいし、常にギアレンズ２２０の外歯２２１と側面部材２５０の内歯２５１が嵌合して噛み合うように側面部材２５０の複数の位置に適宜内歯２５１を設けてもよい（図示せず）。
【００５１】
さらに、側面部材２５０は、図５〜図８に示すように、側面部材２５０の外周にネジ穴が設けられた固定部２５２が３ヵ所に外方に突出するように形成されている。側面部材２５０は、前カバー部材２８０ａと後カバー部材２８０ｂにネジ止めされて固定されている。拡散レンズ２１０等が駆動手段により回動しても、側面部材２５０はカバー体２８０に固定されているので回動しない。
【００５２】
透明板２３０の裏面側には、図７及び図８に示すように、前カバー部材２８０ａと後カバー部材２８０ｂから構成されるカバー体２８０が設けられている。カバー体２８０の内部には、光源としてのＬＥＤ基板２６０と該ＬＥＤ基板の後方に駆動手段の一部を構成する大歯車からなる連動部材２９１と小歯車からなる回動体２９０とが保持される。さらに、後カバー部材２８０ｂには電気的駆動源としてのモータ２７０が固定されている。
【００５３】
前カバー部材２８０ａと後カバー部材２８０ｂは、図７及び図８に示すように、外周にネジ穴が数カ所に形成されており、前カバー部材２８０ａと後カバー部材２８０ｂは合わせてネジ止めされて固定され、一つのカバー体２８０となる。カバー体２８０は、図６に示すように、上部円形部分２８７と下部円形部分２８８とから構成される。上部円形部分２８７は、拡散レンズ２１０の大きさとほぼ同じ大きさに形成されており、上部円形部分２８７の内部にはＬＥＤ基板２６０と連動部材２９１が保持されている。前カバー部材２８０ａの上部円形部分２８７ａと後カバー部材２８０ｂの上部円形部分２８７ｂの中心には貫通孔２８２と２８３が形成されている。一方、カバー体２８０の下部円形部分２８８の内部には回動体２９０が保持されている。また、前カバー部材２８０ａは、透明プラスチックで形成されていて、ＬＥＤ基板２６０から照射された光を拡散レンズ２１０及びギアレンズ２２０に向けて透過させるとともに、ＬＥＤ基板２６０の保護カバーにもなっている。  
【００５４】
カバー体２８０の上部円形部分２８７の内部に保持されるＬＥＤ基板２６０は、図７に示すように、円板状の基板２６３の前面側にＬＥＤ２６１が全体に分散して配設されている。ＬＥＤ２６１のうちの一定数は、肉厚半球レンズ２１１の回動軌跡と重なる円周上に並べて設けている。基板２６３の大きさはカバー体２８０の上部円形部分２８７よりやや小さく形成されている。ＬＥＤ基板２６０は、複数のＬＥＤ２６１が基板２６３全体に分散して配設されて構成されていることにより、各ＬＥＤの発光色や発光タイミング等を変えることで、幅広い演出を行うことができる。また、ＬＥＤ２６１の設置場所を変えることで簡単に最適な発光状態にすることもできる。
【００５５】
ここで、拡散レンズ２１０が回動する際の肉厚半球レンズ２１１の回動軌跡と重なる基板２６３の円周上に一定数のＬＥＤが配設されているので、肉厚半球レンズ２１１がＬＥＤ２６１の前面を通過した場合は、指向性の強く鋭い光が拡散レンズ２１０を透過することになる。一方、肉厚半球レンズ２１１以外の拡散レンズ部分がＬＥＤ２６１の前面を通過した場合は、レンズの凹凸に沿って全体的に照射された指向性の弱い光が拡散レンズ２１０を透過することになる。よって、光の強弱を演出することができる。尚、ＬＥＤ基板２６０の中心には、図７〜８に示すように、連動部材２９１の軸受け２９２を通す開口部２６２が形成されている。
【００５６】
ＬＥＤ基板２６０は、基板の右側面に突出するコネクタ取付部２６４が設けられている。コネクタ取付部２６４に、コネクタが設けられ、コネクタに制御基板等からの電気的配線が接続される。ＬＥＤ基板２６０の複数のＬＥＤは、接続されている制御基板の制御回路によって発光を制御することができる。ＬＥＤ２６１の発光は、全体を一体として発光することもできるし、個々のＬＥＤ２６１のそれぞれの発光を制御することも可能である。
【００５７】
ＬＥＤ基板２６０は、コネクタ取付部２６４がカバー体２８０の上部円形部２８７の外に露出するよう、カバー体２８０に取付けられ、固定される。ＬＥＤ基板２６０は、カバー体２８０の内部で駆動手段の連動部材２９１が回動しても、所定の位置に固定されていて、回動しない。
【００５８】
図４〜図８に示す万華鏡駆動役物２００（駆動発光装置）における駆動手段は、駆動モータ２７０と、回動体２９０と、連動部材２９１とが連動するように構成されている。
【００５９】
連動部材２９１は、カバー体上部の内部でＬＥＤ基板２６０の裏面側に保持されており、外周の歯が回動体２９０の歯と噛み合い回動する。また、連動部材２９１の表面側の中心には軸受け２９２が形成されており、該軸受け２９２内に拡散レンズ２１０の回転軸２１２が挿入され、裏面側からネジにより回転軸２１２がネジ止めされて、連動部材２９１と拡散レンズ２１０は一体に回動するように形成されている。
【００６０】
回動体２９０は、カバー体２８０の下部円形部分２８８の内部で、外周の歯が連動部材２９１の歯と噛み合う位置に保持されている。そして、回動体２９０の中心の軸孔２９３に、後カバー部材２８０ｂの裏面側に固定された駆動モータ２７０の回転軸２７３が接続される。
【００６１】
後カバー部材２８０ｂの裏面側に固定された駆動モータ２７０は、図７〜図８及び図１４に示すように、その外周にネジ穴が形成されており、後カバー部材の下部円形部分２８８ｂの裏面側にネジ止めされ、カバー体２８０に固定されている。
【００６２】
駆動モータ２７０は、特に図示しないが、制御基板等に配線により電気的に接続されている。駆動モータ２７０が回転すると、回転軸２７３に接続された回動体２９０が回転する。回動体２９０が回転すると、歯が噛み合っている連動部材２９１が回転する。連動部材２９１が回転すると、軸受け２９２に回転軸２１２が固定されている拡散レンズ２１０が回動する。
【００６３】
尚、駆動モータ２７０の回転は、逆回転も可能であり、拡散レンズ２１０も時計回り、反時計回りのいずれの方向も回動可能に構成されている。駆動モータ２７０の回転は、制御基板等の制御回路でそのオンオフを制御することができる。
【００６４】
拡散レンズ２１０が回動すると、拡散レンズ２１０の裏面側に設けられた軸支部２１３も、拡散レンズ２１０の回動に伴い拡散レンズ２１０の回動方向と同方向へ変位する。ギアレンズ２２０は、軸支部２１３に軸支されているので、軸支部２１３が変位するとそれに追随して軸支部２１３と同方向へ変位する。よって、拡散レンズ２１０が回動すると、ギアレンズ２２０は、拡散レンズ２１０の回動方向と同方向へ変位する。
【００６５】
ギアレンズ２２０が拡散レンズ２１０の回動方向へ変位すると、図１０に示すように、側面部材２５０の内歯２５１が形成されている部分で、ギアレンズ２２０の外周に形成された外歯２２１と、側面部材２５０の内歯２５１が噛み合い、ギアレンズ２２０は変位とは逆方向に回動する。よって、ギアレンズ２２０は、駆動モータ２７０により駆動された拡散レンズ２１０が回動すると、拡散レンズ２１０の回動と同方向へ変位しながら、側面部材２５０の内歯２５１が形成されている部分で、拡散レンズ２１０の回動方向とは異なる逆方向へ回動する。
【００６６】
ギアレンズ２２０が変位及び回動する際は、常に、ギアレンズ２２０の外周の一部が拡散レンズ２１０の外周の一部と略同一になるよう構成されているので、ギアレンズ２２０は拡散レンズ２１０の外周に沿うように変位しつつ回動しているように見え、拡散レンズ２１０の回動とギアレンズ２２０の回動及び変位が一体感を持って演出される。
【００６７】
尚、本実施例の構成によれば、１つの駆動モータで拡散レンズ２１０を回動させると共に、ギアレンズ２２０を変位及び回動させることができる。そのため、駆動モータを複数設ける必要がないので、狭いスペースと少ない部品点数で万華鏡駆動役物２００を構成することができる。また、駆動モータ２７０の回転方向や回転速度を変えるだけで、拡散レンズ２１０及びギアレンズ２２０の回転方向や回転速度を容易に制御することができる。
【００６８】
以下、図１に示す遊技機の遊技の流れを説明する。まず、遊技領域１０に向けて遊技球発射装置５６から発射された遊技球が始動入賞装置２２へ入賞すると、乱数が取得され、取得された乱数置に基づいて表示装置２１において図柄が変動する。
図柄が変動して、遊技状態が疑似連続予告やノーマルリーチ等の状態になると、遊技機に取付けられている発光制御回路等がＬＥＤ２６１を発光する命令を発生させる。ＬＥＤ２６１を発光する命令が発生すると、発光制御回路は、遊技状態に合わせてＬＥＤ２６１の点灯・点滅や、発光色の変更をする。
【００６９】
また、図柄が変動して、遊技状態がスーパーリーチ状態になると、遊技機に取付けられている駆動制御回路等が、駆動モータ２７０を回転させる命令や回転速度を変更する命令を発生させる。駆動モータ２７０を回転させる命令や回転速度を変更する命令が発生すると、駆動制御回路は、駆動モータ２７０を回転させたり、回転速度を変更したりする。このとき駆動モータ２７０は、正転（遊技機正面側に向かって時計周りの回転）と逆転（反時計回りの回転）をして、装飾効果を向上する演出を行う。
【００７０】
駆動モータ２７０が時計回りに回転すると、回動体２９０も時計回りに回転し、回動体２９０と噛み合う連動部材２９１は反時計回りに回転する。よって、連動部材２９１に連結されている拡散レンズ２１０も反時計回りに回転し、それに伴いギアレンズ２２０も反時計回りに変位しつつ、側面部材２５０の内歯２５１が形成されている部分で、軸支部２１３を回転軸として時計回りに回動する。一方、駆動モータ２７０が反時計回りに回転すると、回動体２９０も反時計回りに回転し、回動２９０と噛み合う連動部材２９１は時計回りに回転する。よって連動部材２９１に連結されている拡散レンズ２１０は時計回りに回動し、それに伴いギアレンズ２２０も時計回りに変位しつつ、側面部材２５０の内歯２５１が形成されている部分で、軸支部２１３を回転軸として反時計回りに回動する。
【００７１】
さらに、遊技状態がノーマルリーチからスーパーリーチへと発展する時間帯では、文字駆動役物１００が駆動する。ここで、文字駆動役物１００は、図１２〜図１４に示すように、第1可動部材１１０と第2可動部材１２０とケース体１３０と駆動モータ１４０から構成されている。第1可動部材１１０は、図４に示す第1位置と図１２に示す第2位置との間を移動可能に形成されており、第2可動部材１２０は、図４に示す第1位置と図１３に示す第2位置との間を移動可能に形成されている。第1可動部材又は第2可動部材は、遊技状態に応じ、駆動モータ１４０により駆動されて、第1位置と第2位置の間を遊技盤７に対して平行に回動する。
【００７２】
第1可動部材１１０と第2可動部材１２０は、透明プラスチックで形成されており、第1可動部材１１０と第2可動部材１２０の先端の円板状の演出部１１１、１２１は、万華鏡駆動役物２００の拡散レンズ２１０とほぼ同じ大きさに形成されている。演出部１１１の表面側には「忍」の文字１１２が彫刻されており、演出部１２１の表側には「前」の文字１２２が彫刻されている。遊技状態に応じて、第1可動部材１１０又は第2可動部材１２０が回動して第2位置に移動すると、演出部１１１又は１２１又は万華鏡駆動役物２００の前面に重なり、ＬＥＤ基板２６０から照射される光を透過させる。よって、文字１１２又は文字１２２はＬＥＤ基板６０から照射される光により演出されて、斬新な視覚効果が得られる。
【００７３】
次に、図１５〜図１６のフローチャートを用いて、万華鏡駆動役物２００を発光及び駆動させる制御基板が行う遊技機の流れの処理について説明する。図１５に示すように、まず、液晶パネルに、始動入賞装置への遊技球の入賞を起因とした、図柄の変動表示がされているか否かを判断する（Ｓ１１０）。Ｓ１１０で変動中でない場合（Ｎ）は、液晶パネルが待機画面か否かを判断する（Ｓ１２０）。Ｓ１２０で待機画面である場合（Ｙ）は、そのまま本処理を終了する。Ｓ１２０で待機画面でない場合（Ｎ）は、液晶パネルを待機画面に設定し（Ｓ１３０）、発光体（本発明のＬＥＤ２６１）を消灯して（Ｓ１４０）、本処理を終了する。
【００７４】
Ｓ１１０で変動中である場合（Ｙ）は、図柄の変動が疑似連続予告を示しているか否か判断する（Ｓ２１０）。Ｓ２１０で疑似連続予告を示している場合（Ｙ）は、疑似連続予告の連続回数に合わせて発光体の発光色を変更し（Ｓ２２０）、本処理を終了する。
【００７５】
Ｓ２１０で疑似連続予告を示していない場合（Ｎ）は、液晶パネルの図柄がノーマルリーチとなっているか否かを判断する（Ｓ３１０）。Ｓ３１０でノーマルリーチ中であれば（Ｙ）、スイッチの入力受付時間中に遊技者が遊技スイッチを押したか否かを判断する（Ｓ３２０）。Ｓ３２０で遊技者が遊技スイッチを押していない場合（Ｎ）は、そのまま本処理を終了する。Ｓ３２０で遊技者が遊技スイッチを押している場合（Ｙ）は、発光体の発光色を例えば赤から青などに変更し（Ｓ３３０）、本処理を終了する。
【００７６】
一方、Ｓ３１０でノーマルリーチ中でない場合（Ｎ）は、図１６に示すように、液晶パネルの図柄がノーマルリーチからスーパーリーチへと発展しているタイミングか否かを判断する（Ｓ４１０）。Ｓ４１０でスーパーリーチへと発展しているタイミングである場合（Ｙ）は、文字駆動役物が駆動しているか否かを判断する（Ｓ４２０）。Ｓ４２０で文字駆動役物が駆動中である場合（Ｙ）は、ノーマルリーチからスーパーリーチへと発展するタイミングが終了したか否かを判断する（Ｓ４５０）。Ｓ４５０でスーパーリーチへと発展するタイミングが終了している場合（Ｙ）は、文字駆動役物を元の位置に戻し（Ｓ４６０）、本処理を終了する。Ｓ４５０でスーパーリーチへと発展するタイミングが終了していない場合（Ｎ）は、そのまま本処理を終了する。Ｓ４２０で文字駆動役物が駆動中でない場合（Ｎ）は、文字駆動役物の駆動抽選に当選したか否かを判断する（Ｓ４３０）。Ｓ４３０で駆動抽選に当選した場合（Ｙ）は、文字駆動役物を駆動させ（Ｓ４４０）、Ｓ４５０、Ｓ４６０を行って本処理を終了する。Ｓ４３０で駆動抽選に当選していない場合（Ｎ）は、そのまま本処理を終了する。
【００７７】
Ｓ４１０でスーパーリーチへと発展するタイミングでない場合（Ｎ）は、液晶パネルの図柄がスーパーリーチ中か否かを判断する（Ｓ５１０）。Ｓ５１０でスーパーリーチ中の場合（Ｙ）は、万華鏡駆動役物の駆動モータの正転（時計回りの回転）と逆転（反時計回りの回転）の予め定めた回数の回転や所定の回転角度の変更を繰り返し行った（Ｓ５２０）後、万華鏡駆動役物の回転速度を変更し（Ｓ５３０）、本処理を終了する。Ｓ５１０でスーパーリーチ中でない場合（Ｎ）は、発光体を白色に点灯させ（Ｓ５４０）、本処理を終了する。
【００７８】
以上、本発明の実施の形態について詳細に説明したが、本発明は上記実施の形態に何ら限定されるものではなく、本発明の要旨を逸脱しない範囲で種々の改変が可能である。
【００７９】
例えば、上記実施例において、万華鏡駆動役物は、同じ大きさのギアレンズを３つ備えているが、ギアレンズの個数は３つに限定されず、１つ又は２つでも良いし、４つ以上でも良い。ギアレンズの個数が多ければ、拡散レンズとより多く組み合わさり、より複雑な万華鏡のような演出をすることができる。
【００８０】
ギアレンズを２つ以上備える場合は、ギアレンズは同じ大きさに限定されず、異なる大きさのギアレンズを備えても良い。尚、ギアレンズを２つ以上備える場合は、軸支部の個数をギアレンズの個数に合わせて設ける必要がある。また、本実施例では、複数の軸支部を回転軸を中心とした所定の半径を有する円周上に等間隔に設置しているが、設置場所は等間隔に限定されないし、所定の半径を有する円周上にも限定されない。ギアレンズの大きさや軸支する場所を変えることで、容易に演出の幅を広げることができる。
【００８１】
さらに、本実施例では、回転軸及び軸支部を拡散レンズの裏面側に設けているが、回転軸及び軸支部を連動部材に設けてもよい。
【００８２】
上記実施例は、パチンコ遊技機を例として説明したが、本発明遊技機は、パチンコ遊技機に限らず、スロットマシン等に適用しても良い。
【符号の説明】
【００８３】
１  パチンコ遊技機（遊技機）
７  遊技盤
３０  センター役物
１００  文字駆動役物（装飾装置）
１３１  回動体
１３２  第1連動部材
１３３  第2連動部材
２００  万華鏡駆動役物（連動装置）
２１０  拡散レンズ
２２０  ギアレンズ
２３０  透明板
２５０  側面部材
２５２  固定部
２５３  ネジ
２６０  ＬＥＤ基板
２７０  駆動モータ
２７１  ネジ穴
２７２  ネジ
２７３  回転軸
２８０  カバー体
２８０ａ  前カバー部材
２８０ｂ  後カバー部材
２８４  ネジ穴
２８５  ネジ穴
２９０  回動体
２９１  連動部材
２９３  軸孔
【図１】
2010253028.tif 000003
【図２】
2010253028.tif 000004
【図３】
2010253028.tif 000005
【図４】
2010253028.tif 000006
【図５】
2010253028.tif 000007
【図６】
2010253028.tif 000008
【図７】
2010253028.tif 000009
【図８】
2010253028.tif 000010
【図９】
2010253028.tif 000011
【図１０】
2010253028.tif 000012
【図１１】
2010253028.tif 000013
【図１２】
2010253028.tif 000014
【図１３】
2010253028.tif 000015
【図１４】
2010253028.tif 000016
【図１５】
2010253028.tif 000017
【図１６】
2010253028.tif 000018